(57)【特許請求の範囲】
【請求項１】
光源から射出された光を画像情報に応じて変調することで形成された画像光を拡大投射する投射レンズと、前記投射レンズを収納する外装筐体とを備えるプロジェクタであって、
前記投射レンズの投射口を覆い、当該投射レンズを保護するための保護面を有するレンズカバーを備え、
前記レンズカバーは、前記保護面に重ね合わせて取り付けられ、前記光軸方向と略直交する方向に沿って摺動自在とされる摺動部材を備え、
前記摺動部材における当該摺動部材の摺動方向の一端には、
前記光軸方向に沿って前記外装筐体側に起立する起立部と、
前記起立部から突出する爪部とが設けられ、
前記摺動部材における前記摺動方向の他端には、
前記レンズカバーにおける前記外装筐体側とは反対側に露出し、当該摺動部材を摺動させる操作を可能とする操作部が設けられ、
前記外装筐体は、
前記レンズカバーを係止する係止部を備え、
前記係止部は、前記投射レンズの光軸方向と略直交する方向に沿って形成され、前記爪部が嵌合することで前記レンズカバーを係止する溝部であり、
前記爪部は、前記溝部の深さ方向に突出していることを特徴とするプロジェクタ。
【請求項２】
請求項１に記載のプロジェクタにおいて、
前記外装筐体は、
前記溝部の深さ方向とは反対方向に突出する突出部を備え、
前記突出部は、前記投射レンズの光軸方向に沿って当該溝部から前記レンズカバー側に延出することを特徴とするプロジェクタ。
【請求項３】
請求項１又は請求項２に記載のプロジェクタにおいて、
前記レンズカバーは、
前記保護面の端縁から前記外装筐体側に突出する凸部を備え、
前記外装筐体は、
前記凸部と対向する位置に形成され、当該凸部と嵌合する凹部を備えることを特徴とするプロジェクタ。
【請求項４】
請求項１から請求項３のいずれかに記載のプロジェクタにおいて、
前記保護面には、クッション材が設けられていることを特徴とするプロジェクタ。
【発明の詳細な説明】
【技術分野】
【０００１】
本発明は、プロジェクタに関する。
【背景技術】
【０００２】
従来、光源から射出された光を、入力される画像情報に応じて変調して画像光を形成する光変調装置と、形成した画像光を拡大投射する投射レンズと、光変調装置および投射レンズを収納する外装筐体とを備えるプロジェクタが知られている。また、このようなプロジェクタとして、投射レンズの投射口を保護するためのレンズカバーを備えたものが知られている（例えば、特許文献１参照）。
特許文献１に記載のプロジェクタでは、投射レンズの鏡筒にレンズキャップ（レンズカバー）を取り付けることで投射レンズの投射口を保護している。
【０００３】
【特許文献１】特開２００６−３０１２２７号公報
【発明の開示】
【発明が解決しようとする課題】
【０００４】
しかしながら、特許文献１に記載のプロジェクタでは、レンズカバーを投射レンズの鏡筒に直接取り付けているため、レンズカバーを着脱する際に投射レンズに負荷がかかり、
光変調装置等の光軸と、投射レンズの光軸との間に歪みが生じ、プロジェクタの光学性能が劣化する場合があるという問題がある。特に、広角の投射レンズを用いた近接投射型のプロジェクタにおいては、光変調装置等の光軸と、投射レンズの光軸との間の歪みによる光学性能への影響が大きいので、レンズカバーを着脱する際に投射レンズに負荷がかからないようにすることが望ましい。
【０００５】
本発明の目的は、投射レンズに負荷をかけることなくレンズカバーを着脱することができるプロジェクタを提供することにある。
【課題を解決するための手段】
【０００６】
本発明のプロジェクタは、光源から射出された光を画像情報に応じて変調することで形成された画像光を拡大投射する投射レンズと、前記投射レンズを収納する外装筐体とを備えるプロジェクタであって、前記投射レンズの投射口を覆い、当該投射レンズを保護するための保護面を有するレンズカバーを備え、前記レンズカバーは、前記保護面に重ね合わせて取り付けられ、前記光軸方向と略直交する方向に沿って摺動自在とされる摺動部材を備え、前記摺動部材における当該摺動部材の摺動方向の一端には、前記光軸方向に沿って前記外装筐体側に起立する起立部と、前記起立部から突出する爪部とが設けられ、前記摺動部材における前記摺動方向の他端には、前記レンズカバーにおける前記外装筐体側とは反対側に露出し、当該摺動部材を摺動させる操作を可能とする操作部が設けられ、前記外装筐体は、前記レンズカバーを係止する係止部を備え、前記係止部は、前記投射レンズの光軸方向と略直交する方向に沿って形成され、前記爪部が嵌合することで前記レンズカバーを係止する溝部であり、前記爪部は、前記溝部の深さ方向に突出していることを特徴とする。
【０００７】
このような構成によれば、レンズカバーは、投射レンズの鏡筒ではなく、プロジェクタの外装筐体に係止されるので、投射レンズに負荷をかけることなくレンズカバーを着脱することができる。したがって、レンズカバーを着脱することで光変調装置等の光軸と、投射レンズの光軸との間に歪みが生じることもなく、プロジェクタの光学性能が劣化することもない。
【０００８】
本発明では、前記係止部は、前記投射レンズの光軸方向と略直交する方向に沿って前記外装筐体に形成された溝部であり、前記レンズカバーは、前記光軸方向に沿って前記外装筐体側に起立する起立部と、前記起立部から前記溝部の深さ方向に突出する爪部とを備え、前記溝部は、前記爪部と嵌合することで前記レンズカバーを係止する。
【０００９】
ここで、広角の投射レンズを用いた近接投射型のプロジェクタにおいては、投射レンズの投射口から広い角度で画像光が射出される。このため、係止部の構造を、投射レンズの投射口の外周に沿って形成され、投射レンズによる画像光の投射方向に外装筐体から突出する筒状の構造とすると、投射レンズから射出される画像光の一部が係止部に遮られ、画像光の射出角を十分に確保することができない場合があるという問題がある。
【００１０】
これに対して、本発明によれば、係止部は、投射レンズの光軸方向と略直交する方向に沿って外装筐体に形成された溝部であるので、投射レンズから射出される画像光を遮ることがない位置に溝部を形成することができ、画像光の射出角を十分に確保することができる。
さらに、レンズカバーは、投射レンズの光軸方向に沿って外装筐体側に起立する起立部と、起立部から溝部の深さ方向に突出する爪部とを備えるので、投射レンズの投射口と、レンズカバーの保護面とを対向させた状態において、溝部および爪部を嵌合させることができ、簡素な構成で確実にレンズカバーを外装筐体に係止することができる。
【００１１】
本発明では、前記レンズカバーは、前記保護面に重ね合わせて取り付けられ、前記光軸方向と略直交する方向に沿って摺動自在とされるとともに、前記起立部および前記爪部が摺動方向の一端に形成される摺動部材を備え、前記摺動部材には、前記レンズカバーにおける前記外装筐体側とは反対側に露出し、当該摺動部材を摺動させる操作を可能とする操作部が摺動方向の他端に設けられている。
【００１２】
このような構成によれば、レンズカバーの爪部は、投射レンズの光軸方向と略直交する方向に沿って外装筐体に形成された溝部の深さ方向に突出しているので、操作部を介して摺動部材を摺動させることで、爪部を外装筐体の溝部に対して近接隔離させることができる。したがって、レンズカバーを外装筐体から取り外す際には、操作部を介して摺動部材を摺動させてレンズカバーの爪部を外装筐体の溝部に対して隔離させることでレンズカバーを外装筐体から容易に取り外すことができる。
【００１３】
本発明では、前記外装筐体は、前記溝部の深さ方向とは反対方向に突出する突出部を備え、前記突出部は、前記投射レンズの光軸方向に沿って当該溝部から前記レンズカバー側に延出することが好ましい。
【００１４】
ここで、レンズカバーを着脱する際に、レンズカバーの爪部は外装筐体上を投射レンズの光軸方向に沿って摺動する。このため、レンズカバーの着脱を繰り返すと、レンズカバーの爪部との接触により外装筐体に傷がつき、プロジェクタの外観を損ねる場合があるという問題がある。
しかしながら、このような構成によれば、突出部は、投射レンズの光軸方向に沿って溝部からレンズカバー側に延出しているので、レンズカバーの爪部は、外装筐体の突出部上を摺動することができる。したがって、レンズカバーの着脱を繰り返した場合であっても突出部にのみ傷がつくこととなるので、プロジェクタの外観を良好に維持することができる。
【００１５】
本発明では、前記レンズカバーは、前記保護面の端縁から前記外装筐体側に突出する凸部を備え、前記外装筐体は、前記凸部と対向する位置に形成され、当該凸部と嵌合する凹部を備えることが好ましい。
【００１６】
このような構成によれば、レンズカバーを外装筐体に係止した際に、外装筐体の凹部と、レンズカバーの凸部とが嵌合するので、外装筐体に対するレンズカバーの姿勢を規制することができる。したがって、係止部が、レンズカバーの爪部を嵌合させることでレンズカバーを外装筐体に係止する溝部であることから、レンズカバーの爪部と対向する位置にのみ溝部を形成すればよく、設計自由度を向上させることができる。
【００１７】
また、レンズカバーを着脱する際に、外装筐体の凹部と、レンズカバーの凸部とが嵌合するので、レンズカバーの着脱方向を略直線状に規制することができる。したがって、例えば、前述したように、レンズカバーの爪部を摺動させる突出部を外装筐体に設ける場合には、レンズカバーを着脱する際に、レンズカバーの爪部は、外装筐体の溝部からレンズカバー側に向かって投射レンズの光軸方向に沿って略直線状に摺動するので、突出部の幅を狭くすることができ、設計自由度を向上させることができる。
【００１８】
本発明では、前記保護面には、クッション材が設けられていることが好ましい。
このような構成によれば、レンズカバーを着脱する際に、レンズカバーの保護面は投射レンズに接触することがないので、投射レンズに負荷をかけることなくレンズカバーを着脱することができるとともに、投射レンズに傷がつくことを防止することができる。
【発明を実施するための最良の形態】
【００１９】
以下、本発明の一実施形態を図面に基づいて説明する。
〔プロジェクタの外観構成〕
図１は、本実施形態に係るプロジェクタ１を正面側から見た斜視図である。
本実施形態に係るプロジェクタ１は、外部機器等から入力する画像情報に応じた画像光を形成し、当該画像光をスクリーン等の投射面上に投影するものである。このプロジェクタ１は、図１に示すように、外装筐体２と、当該外装筐体２内に収納される装置本体３（図１では図示省略）とを備えている。
【００２０】
〔外装筐体の構成〕
外装筐体２は、全体略直方体形状を有し、本実施形態では合成樹脂により形成されている。この外装筐体２は、上面を形成するアッパーケース２１、下面を形成するロアーケース２２、及び、正面（後述する投射レンズ４６により画像光を投射する側）を形成するフロントケース２３とから構成されている。
このうち、ロアーケース２２の底面には、設置面にプロジェクタ１を設置するための脚部２２Ａが突設されている（図１０参照）。
【００２１】
アッパーケース２１は、上面部２１１と、当該上面部２１１から略垂下する左右の側面部２１２，２１３及び背面部２１４とを有する縦断面視略Ｕ字状に形成されている。
上面部２１１の略中央には、複数の開口２１１１が形成されており、当該開口２１１１を介して、プロジェクタ１を操作するための操作パネル上に配設された複数のキー２１１２が露出する。このようなキー２１１２として、プロジェクタ１の電源をオン／オフする電源キーや、台形歪み等の調整並びにメニュー画面の項目選択等に用いられる方向キー及び決定キー等が挙げられる。
【００２２】
また、上面部２１１における正面側（フロントケース２３に近接する側）には、開口２１１３及び膨出部２１１４が形成されている。この開口２１１３及び膨出部２１１４が形成された領域に対応する外装筐体２の内部には投射レンズ４６が設けられており、当該開口２１１３を介して、投射レンズ４６に設けられたズーム及びフォーカス調整用のつまみ４６３が露出する。また、膨出部２１１４は、投射レンズ４６の形状に応じて面外方向に膨出するように形成されている。
更に、上面部２１１における背面側には、後述する光源装置４１１を交換するための略矩形の開口２１１５が形成され、当該開口２１１５は、カバー２１１６により覆われている。
【００２３】
側面部２１２，２１３のうち、プロジェクタ１を正面側から見た場合の左側（図１における左側）に位置する側面部２１２には、外装筐体２内部の空気を外部に排出するスリット状の第１の排気口２１２１と、略矩形状の切欠２１２２とが形成されている。
このうち、切欠２１２２には、アッパーケース２１とロアーケース２２とが組み合わさった際に、ロアーケース２２に形成された排気部２２１が嵌め合わされる。なお、この排気部２２１にはスリット状の第２の排気口２２２が形成されており、当該排気口２２２を介して、内部に設けられたファン６３（図２参照）により、外装筐体２内の空気が排出される。
また、側面部２１２とは反対側に形成された側面部２１３には、外装筐体２外部の空気を内部に導入するための吸気口２１３１（図４参照）が形成されている。
【００２４】
フロントケース２３には、側面部２１３側に、投射レンズ４６が露出するための略円形状の開口２３１が形成されている。また、フロントケース２３の略中央上側には、アッパーケース２１と組み合わさって形成される略矩形の開口２３２が形成されている。この開口２３２の内部には、図示を省略したが、リモコン（図示省略）からの赤外線信号を受光する受光部が設けられており、当該開口２３２は、カバー２３３によって覆われている。
【００２５】
さらに、フロントケース２３における開口２３１の上面部２１１側には、上方側に向かって突出する突出部２３４が２箇所に設けられ、側面部２１３側には、背面部２１４側に向かって凹む凹部２３５が形成されている。なお、図１においては図示を省略するが、フロントケース２３における開口２３１の下面部側（上面部２１１側とは反対側）には、下方側に向かって突出する突出部２３４が２箇所に設けられている（図１１参照）。
また、フロントケース２３と、アッパーケース２１およびロアーケース２２との境界部分には、フロントケース２３の外周に沿って溝部２４が形成されている。なお、溝部２４は、後述するレンズカバー７（図４参照）を係止する係止部として機能する部分であり、前述した突出部２３４および凹部２３５とともに、後に詳述する。
【００２６】
〔装置本体の構成〕
図２は、装置本体３を示す斜視図である。換言すると、図２は、図１の状態からアッパーケース２１及びフロントケース２３を取り外した状態のプロジェクタ１を示す斜視図である。
装置本体３は、外部機器等から入力した画像情報を処理し、当該画像情報に応じた画像光を形成投射するものであり、ロアーケース２２に固定されている。この装置本体３は、図２に示すように、光学装置４、電源装置５、冷却装置６及び制御装置（図示省略）を備えている。
このうち、電源装置５は、正面に沿って配置され、外部から入力した商用交流電流を直流変換した後、昇圧及び降圧して、プロジェクタ１を構成する各電子部品に電力を供給する。この電源装置５は、周囲を電磁シールド材５１により覆われており、これによりＥＭＩ（Electro Magnetic Interference、電磁干渉）対策が施されている。
【００２７】
冷却装置６は、側面部２１３の吸気口２１３１を介して外装筐体２の外部から導入した空気を用いて光学装置４、電源装置５及び制御装置を冷却し、冷却に供された空気を第１の排気口２１２１、及び第２の排気口２２２を介して外部に排出するものである。この冷却装置６は、ダクト６１及び複数のファンにより構成されている。
このうち、ダクト６１は、側面部２１３の吸気口２１３１に接続され、当該ダクト６１の下方に配置されたファン（図示省略）により、外装筐体２外部から導入した冷却空気を、後述する光学装置４の各液晶パネル４４１等に送風する。
電源装置５近傍に設けられたファン６２は、外装筐体２内部の冷却空気の一部を導入し、当該冷却空気を電源装置５に流通させて第１の排気口２１２１より排出する。
排気部２２１と接続されたファン６３は、装置本体３の冷却に供された空気を吸引し、第２の排気口２２２を介して外装筐体２の外部に排出する。
【００２８】
制御装置は、プロジェクタ１の動作を制御する。例えば、制御装置は、前述の操作パネルの各キー２１１２に対する入力操作に応じた処理を実行するほか、入力する画像情報を処理し、当該画像情報に応じた画像信号を光学装置４の後述する液晶パネル４４１に出力する。この制御装置は、詳しい図示を省略するが、ＣＰＵ（Central Processing Unit）等が実装された回路基板として構成され、光学装置４の上方に配置される。
【００２９】
〔光学装置の構成〕
図３は、光学装置４の光学系を示す模式図である。
画像投射装置としての光学装置４は、前述の制御装置から入力する画像信号に応じた画像光を形成し、当該画像光を投射面上に投射する。この光学装置４は、外装筐体２の背面（背面部２１４）に沿って延出するとともに、当該外装筐体２の側面（側面部２１３）に沿って延出する平面視略Ｌ字形状を有している。
このような光学装置４は、図３に示すように、照明光学装置４１と、色分離光学装置４２と、リレー光学装置４３と、電気光学装置４４と、これら各装置４１〜４４を内部に収納配置する光学部品用外装筐体４５と、当該光学部品用外装筐体４５に取り付けられる投射レンズ４６とを備えて構成されている。
【００３０】
照明光学装置４１は、光源装置４１１、第一レンズアレイ４１２、第二レンズアレイ４１３、偏光変換素子４１４及び重畳レンズ４１５を備えて構成されている。
光源装置４１１は、放射状の光線を射出する光源ランプ４１６と、当該光源ランプ４１６から射出された放射光を反射して所定位置に収束させるリフレクタ４１７と、リフレクタ４１７にて収束される光束を照明光軸Ａに対して平行化する平行化凹レンズ４１８とを備えている。このような光源ランプ４１６としては、ハロゲンランプ、メタルハライドランプ及び高圧水銀ランプ等を利用することができる。また、リフレクタ４１７としては、回転楕円面を有する楕円面リフレクタで構成することができるほか、回転放物面を有する放物面リフレクタで構成することも可能である。この場合には、平行化凹レンズ４１８を省略することができる。
【００３１】
第一レンズアレイ４１２及び第二レンズアレイ４１３は、それぞれ対応する小レンズがマトリクス状に配列された構成を有し、第一レンズアレイ４１２は、光源装置４１１から入射した光束を複数の部分光束に分割して、第二レンズアレイ４１３近傍に結像させる。
第二レンズアレイ４１３は、光路後段に位置する重畳レンズ４１５とともに、第一レンズアレイ４１２の各小レンズから射出された像を、電気光学装置４４の後述する液晶パネル４４１の画像形成領域に結像させる。
偏光変換素子４１４は、第二レンズアレイ４１３から入射した各部分光束を、略１種類の直線偏光光に変換する。
【００３２】
色分離光学装置４２は、２枚のダイクロイックミラー４２１，４２２及び反射ミラー４２３を備え、照明光学装置４１から射出された複数の部分光束を赤（Ｒ）、緑（Ｇ）、青（Ｂ）の３色の色光に分離する。このような色分離光学装置４２により分離された３色の色光のうち、緑色光及び青色光は、集光レンズ４１９を介して緑色光用及び青色光用の入射側偏光板４４２にそれぞれ入射し、赤色光は、リレー光学装置４３及び集光レンズ４１９を介して赤色光用の入射側偏光板４４２に入射する。
【００３３】
リレー光学装置４３は、色分離光学装置４２で分離された赤色光を、後述する赤色光用の液晶パネル４４１Ｒまで導くものであり、入射側レンズ４３１、リレーレンズ４３３及び反射ミラー４３２，４３４を備えている。このようなリレー光学装置４３が赤色光の光路上に配置されているのは、赤色光の光路の長さが他の色光の光路の長さよりも長いので光の拡散等による光の利用効率の低下を防止するためである。なお、リレー光学装置４３には、３つの色光のうち赤色光を通す構成としたが、これに限らず、例えば、青色光を通す構成としてもよい。
【００３４】
電気光学装置４４は、入射した光束を画像信号に応じて変調してカラー画像に係る画像光を形成する。この電気光学装置４４は、３つの液晶パネル４４１（赤色光側の液晶パネルを４４１Ｒ、緑色光側の液晶パネルを４４１Ｇ、青色光側の液晶パネルを４４１Ｂとする）と、各液晶パネル４４１の光路前段側に配置される３つの入射側偏光板４４２と、各液晶パネル４４１の光路後段側に配置される３つの射出側偏光板４４３と、クロスダイクロイックプリズム４４４とを備えて構成されている。
【００３５】
３つの入射側偏光板４４２は、色分離光学装置４２で分離された各色光のうち、偏光変換素子４１４で揃えられた偏光方向と略同一の偏光方向を有する偏光光のみ透過させ、その他の光束を吸収する。
３つの液晶パネル４４１は、一対の透明なガラス基板に電気光学物質である液晶が密閉封入された構成を有し、入力される画像情報に応じて液晶の配向状態が制御されることで、入射側偏光板４４２から射出された偏光光の偏光方向を変調する。
３つの射出側偏光板４４３は、液晶パネル４４１を介して射出された光束のうち、一定方向の偏光光（例えば、入射側偏光板４４２における光束の透過軸と直交する偏光軸を有する光束）を透過し、その他の光を吸収する。
【００３６】
クロスダイクロイックプリズム４４４は、各射出側偏光板４４３から射出された変調光を合成してカラー画像を形成する。このクロスダイクロイックプリズム４４４は、４つの直角プリズムを貼り合わせた平面視略正方形状を有し、直角プリズム同士を貼り合わせた界面には、２つの誘電体多層膜が形成されている。これら誘電体多層膜は、液晶パネル４４１Ｇから射出され、かつ、射出側偏光板４４３を介した色光を透過し、液晶パネル４４１Ｒ，４４１Ｂから射出され、かつ、射出側偏光板４４３を介した各色光を反射する。これにより、赤色光、緑色光及び青色光が合成された画像光が形成される。
【００３７】
光学部品用外装筐体４５は、内部に所定の照明光軸Ａが設定され、上述した各装置４１〜４４を照明光軸Ａに対する所定位置に配置する合成樹脂製の箱状部材である。
投射レンズ４６は、電気光学装置４４で形成された画像光を拡大投射する投射光学装置である。この投射レンズ４６は、鏡筒４６２内部に複数のレンズ（例えば、投射方向先端側に位置するフレネルレンズ４６１等）が収納された組レンズとして構成されており、本実施形態では、従来のプロジェクタに比べて画像光の投射距離が短くても、当該プロジェクタと同じ投射領域を実現可能に構成されている。この投射レンズ４６の鏡筒４６２には、開口２１１３（図１参照）を介して露出するつまみ４６３（図１及び図２参照）が設けられており、手動でズーム及びフォーカスを調整することができる。
【００３８】
〔レンズカバーの係止部の構成〕
図４は、レンズカバー７を取り付けた状態において、プロジェクタ１を前面側から見た斜視図である。また、図５は、プロジェクタ１を背面側から見た斜視図、図６は、フロントケース２３の突出部２３４を示す拡大図である。なお、図６は、フロントケース２３の上面部２１１側に設けられた２箇所の突出部２３４のうち、図５中丸印で示される側面部２１３側の突出部２３４の拡大図である。
【００３９】
外装筐体２は、前述したように、係止部としての溝部２４を備える。溝部２４は、図４および図５に示すように、投射レンズ４６の光軸方向Ｂと略直交する方向に沿って、フロントケース２３と、アッパーケース２１およびロアーケース２２との境界部分に形成されている。
フロントケース２３は、前述したように、突出部２３４と、凹部２３５とを備える。
突出部２３４は、図６に示すように、溝部２４の深さ方向とは反対方向に突出するとともに、投射レンズ４６（図１参照）の光軸方向Ｂに沿って溝部２４からレンズカバー７側、すなわち光軸方向Ｂの先端側に延出している。また、図示は省略するが、フロントケース２３の上面部２１１側に設けられた２箇所の突出部２３４のうち、側面部２１２側の突出部２３４、及びフロントケース２３の下面部側に設けられた２箇所の突出部２３４も略同様の形状とされている。
凹部２３５は、後述するレンズカバー７の後述する凸部８４と対向する位置に、背面部２１４側に向かって略矩形状に凹むように形成されている。
【００４０】
〔レンズカバーの構成〕
図７は、レンズカバー７をプロジェクタ１の正面側から見た斜視図である。図８は、レンズカバー７をプロジェクタ１の背面側から見た斜視図である。図９は、レンズカバー７の縦断面図である。
レンズカバー７は、図４〜図９に示すように、レンズカバー本体８と、レンズカバー本体８に対して摺動自在に取り付けられる摺動部材９とを備える。
レンズカバー本体８は、投射レンズ４６を覆い、投射レンズ４６を保護するための保護面８１と、保護面８１の上方側（外装筐体２の上面部２１１側）および下方側（外装筐体２の下面部側）の端縁から外装筐体２側、すなわち光軸方向Ｂの基端側に起立する上面部８２および下面部８３と、保護面８１の端縁から外装筐体２側に突出する凸部８４とを備える。
【００４１】
保護面８１は、上面部８２、下面部８３、及び凸部８４が端縁に形成される略円環状の外側保護面８５と、外側保護面８５から外装筐体２側とは反対側に突出する略円形状の内側保護面８６とを備える。
外側保護面８５の外装筐体２側の面には、移行性のない材料を略矩形状に成形した複数のクッション材８５１が端縁に沿って貼り付けられている。
【００４２】
内側保護面８６は、外装筐体２側の面に、上方側および下方側に外装筐体２側に突出するように形成された略コ字状の上側ストッパ部８６１および下側ストッパ部８６２と、上側ストッパ部８６１の上方側、および下側ストッパ部８６２の下方側に外装筐体２側に突出するように形成された略円筒状の２つの上側ガイド部８６３および２つの下側ガイド部８６４とを備える。
また、内側保護面８６には、後述する操作部９２を露出させるための開口８７が上方側に形成されている。
【００４３】
上面部８２は、投射レンズ４６の光軸方向Ｂに沿って起立した部分であり、外装筐体２の溝部２４と対向する位置には、溝部２４の深さ方向に突出する爪部８２１が形成されている。すなわち、上面部８２は、本発明における起立部に相当する。
下面部８３は、投射レンズ４６の光軸方向Ｂに沿って起立した部分であり、略中央部分を挟むように、略矩形状の開口８３１が２箇所に形成されている。
凸部８４は、フロントケース２３の凹部２３５に嵌合される部分であり、凹部２３５と対向する位置に、略矩形状に形成されている。
【００４４】
摺動部材９は、保護面８１に重ね合わせて取り付けられる部材であり、内側保護面８６に重ね合わせて取り付けられる略円環状の円環部９１と、円環部９１の上端（摺動部材９の一端）に形成され、保護面８１の外装筐体２側とは反対側に露出する操作部９２と、円環部９１の下端（摺動部材９の他端）に形成され、下方側に向かって延出する延出部９３とを備える。
円環部９１は、上端から下方側および下端から上方側に向かって突出する略矩形状の上側ガイド片９１１および下側ガイド片９１２と、下側ガイド片９１２の下方側に、外装筐体２側に突出するように形成された略角筒状の段差部９１３とを備える。
【００４５】
上側ガイド片９１１は、上側ストッパ部８６１および上側ガイド部８６３に囲まれるように配置され、上側ガイド部８６３に挟まれることで摺動部材９の摺動方向を、上下方向に規制する。また、上側ガイド片９１１は、摺動部材９が下方側に摺動した場合に、上側ストッパ部８６１に当接することで摺動部材９の摺動量を規制する。
下側ガイド片９１２は、下側ストッパ部８６２および下側ガイド部８６４に囲まれるように配置され、下側ガイド部８６４に挟まれることで摺動部材９の摺動方向を、上下方向に規制する。また、下側ガイド片９１２は、摺動部材９が上方側に摺動した場合に、下側ストッパ部８６２に当接することで摺動部材９の摺動量を規制する。
すなわち、摺動部材９は、投射レンズ４６の光軸方向Ｂと略直交する方向に沿って摺動自在とされている。
段差部９１３には、略中央部分に、略矩形状の開口９１３Ａが形成され、この開口９１３Ａの内部には、バネ９４が挿入されている。バネ９４は、段差部９１３の側面および内側保護面８６に当接し、摺動部材９を上方側に付勢している。
【００４６】
操作部９２は、摺動部材９を摺動させる操作を可能とする部分であり、円環部９１の上端から上方側に延出するとともに、投射レンズ４６の光軸方向Ｂに沿って延出する断面略Ｌ字状に形成され、開口８７を介してレンズカバー７における外装筐体２側とは反対側に露出している。
延出部９３は、下面部８３の各開口８３１の内部に、投射レンズ４６の光軸方向Ｂに沿って外装筐体２側に起立するように形成された２つの起立部９３１を備える。この各起立部９３１の先端には、溝部２４の深さ方向に突出する爪部９３２が形成されている。
なお、前述した爪部８２１と、爪部９３２とは、外装筐体２側からレンズカバー７側にかけて突出量が大きくなる略三角柱状に形成されている。
【００４７】
〔レンズカバーの係止方法〕
レンズカバー７は、図１および図４に示すように、投射レンズ４６の投射口と、保護面８１とを対向させるとともに、外装筐体２の凹部２３５と、レンズカバー７の凸部８４とを対向させた状態で外装筐体２側に押し込まれることで外装筐体２に係止される。また、レンズカバー７は、操作部９２が下方側に押し込まれた状態で外装筐体２側とは反対側に引き出されることで外装筐体２から取り外される。なお、レンズカバー７を着脱する際に、凹部２３５と、凸部８４とが嵌合するので、レンズカバー７の着脱方向は、投射レンズ４６の光軸方向Ｂに規制される。
【００４８】
図１０は、レンズカバー７を係止した状態におけるプロジェクタ１の正面図である。図１１は、図１０のＣ−Ｃ線断面図である。なお、図１０のＣ−Ｃ線は、レンズカバー７の中心から爪部８２１に向かって切断するとともに、レンズカバー７の中央から爪部９３２に向かって切断している。
レンズカバー７が外装筐体２に取り付けられる際には、各爪部８２１，９３２は、図１０および図１１に示すように、突出部２３４上を光軸方向Ｂに沿ってレンズカバー７側から外装筐体２側に摺動する。この際、各爪部９３２は、フロントケース２３の下面部側に設けられた２箇所の突出部２３４に当接することで下方側に向かって押圧され、摺動部材９は下方側に摺動する。そして、溝部２４と、各爪部８２１，９３２とが対向する位置までレンズカバー７が押し込まれると、摺動部材９は、バネ９４（図８および図９参照）の付勢力にて付勢され、上方側に摺動する。摺動部材９が上方側に摺動することで溝部２４と、各爪部８２１，９３２とが嵌合し、レンズカバー７は外装筐体２に係止される。
【００４９】
レンズカバー７が外装筐体２から取り外される際には、摺動部材９は、バネ９４の付勢力に抗して操作部９２が下方側に向かって押し込まれることで下方側に摺動する。摺動部材９が下方側に摺動すると、各爪部９３２は溝部２４に対して隔離される。そして、レンズカバー７は、各爪部９３２が溝部２４に対して隔離された状態で光軸方向Ｂに沿って外装筐体２側とは反対側に引き出され、外装筐体２から取り外される。この際、各爪部８２１，９３２は、突出部２３４上を光軸方向Ｂに沿って外装筐体２側からレンズカバー７側に摺動する。
【００５０】
本実施形態に係るプロジェクタ１によれば、次のような効果がある。
（１）レンズカバー７は、プロジェクタ１の外装筐体２に係止されるので、投射レンズ４６に負荷をかけることなくレンズカバー７を着脱することができる。したがって、レンズカバー７を着脱することで液晶パネル４４１等の光軸と、投射レンズ４６の光軸との間に歪みが生じることもなく、プロジェクタ１の光学性能が劣化することもない。
（２）レンズカバーの係止部は、投射レンズ４６の光軸方向Ｂと略直交する方向に沿ってフロントケース２３と、アッパーケース２１およびロアーケース２２との境界部分に形成された溝部２４であるので、投射レンズ４６から射出される画像光を遮ることがなく、画像光の射出角を十分に確保することができる。
【００５１】
（３）レンズカバー７は、投射レンズ４６の光軸方向に沿って外装筐体２側に起立する上面部８２および起立部９３１と、上面部８２および起立部９３１から溝部２４の深さ方向に突出する爪部８２１，９３２とを備えるので、投射レンズ４６の投射口と、レンズカバー７の保護面８１とを対向させた状態において、溝部２４および爪部８２１，９３２を嵌合させることができ、簡素な構成で確実にレンズカバー７を外装筐体２に係止することができる。
【００５２】
（４）レンズカバー７は、摺動部材９を備えるので、レンズカバー７を外装筐体２から取り外す際には、操作部９２を介して摺動部材９を摺動させてレンズカバー７の爪部９３２を外装筐体２の溝部２４に対して隔離させることでレンズカバー７を外装筐体２から容易に取り外すことができる。
（５）突出部２３４は、投射レンズ４６の光軸方向Ｂに沿って溝部２４からレンズカバー７側に延出しているので、レンズカバー７の爪部８２１，９３２は、外装筐体２の突出部２３４上を摺動することができる。したがって、レンズカバー７の着脱を繰り返した場合であっても突出部２３４にのみ傷がつくこととなるので、プロジェクタ１の外観を良好に維持することができる。
【００５３】
（６）レンズカバー７を着脱する際に、外装筐体２の凹部２３５と、レンズカバー７の凸部８４とが嵌合するので、レンズカバー７の着脱方向を投射レンズ４６の光軸方向Ｂに規制することができる。したがって、レンズカバー７を着脱する際に、レンズカバー７の爪部８２１，９３２は、外装筐体２の溝部２４からレンズカバー７側に向かって投射レンズ４６の光軸方向Ｂに沿って略直線状に摺動するので、突出部２３４の幅を狭くすることができ、設計自由度を向上させることができる。
（７）外側保護面８５には、クッション材８５１が設けられているので、レンズカバー７を着脱する際に、レンズカバー７の保護面８１は投射レンズに接触することがないので、投射レンズ４６に負荷をかけることなくレンズカバー７を着脱することができるとともに、投射レンズ４６に傷がつくことを防止することができる。
【００５４】
〔実施形態の変形〕
なお、本発明は前記実施形態に限定されるものではなく、本発明の目的を達成できる範囲での変形、改良等は本発明に含まれるものである。
前記実施形態では、レンズカバーの係止部は、溝部２４であったが、例えば、前述したように、投射レンズの投射口の外周に沿って形成され、投射レンズによる画像光の投射方向に外装筐体から突出する筒状の構造としてもよく、要するに、レンズカバーを外装筐体に係止する構造であればよい。
前記実施形態では、爪部８２１，９３２は、保護面８１の上方側および下方側の端縁から起立する上面部８２および起立部９３１に形成されていたが、例えば、保護面の左方側および右方側の端縁から起立する起立部に形成されていてもよく、要するに、投射レンズの光軸方向に沿って外装筐体側に起立する起立部に形成されていればよい。
【００５５】
前記実施形態では、レンズカバー７は、摺動部材９を備え、操作部９２を介して摺動部材９を摺動させてレンズカバー７の爪部９３２を外装筐体２の溝部２４に対して隔離させることでレンズカバー７を外装筐体２から容易に取り外すことができる構成としていたが、他の構成によりレンズカバー７の爪部９３２を外装筐体２の溝部２４に対して隔離させることができるようにしてもよい。また、レンズカバーは、摺動部材を備えていなくてもよく、例えば、レンズカバーの爪部を、溝部の深さ方向に突出する半円柱状に形成することで、レンズカバーを外装筐体に係止する力を弱くしてレンズカバーを外装筐体から容易に取り外すことができるようにしてもよい。
【００５６】
前記実施形態では、フロントケース２３は、突出部２３４と、凹部２３５とを備え、レンズカバー７は、凸部８４を備えていたが、外装筐体およびレンズカバーは、突出部、凹部、および凸部を備えていなくてもよい。
前記実施形態では、保護面８１に、クッション材８５１が設けられていたが、クッション材は設けられていなくてもよい。
【００５７】
前記実施形態では、光学装置４は平面視略Ｌ字形状を有した構成としたが、これに限らず、例えば、平面視略Ｕ字形状を有した構成を採用してもよい。
前記実施形態では、透過型の液晶パネル４４１を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
【産業上の利用可能性】
【００５８】
本発明は、プロジェクタに利用でき、特に、投射レンズを保護するためのレンズカバーを備えるプロジェクタに好適に利用することができる。
【図面の簡単な説明】
【００５９】
【図１】本発明の一実施形態に係るプロジェクタを正面側から見た斜視図。
【図２】前記実施形態における装置本体を示す斜視図。
【図３】前記実施形態における光学装置の光学系を示す模式図。
【図４】前記実施形態におけるレンズカバーを取り付けた状態において、プロジェクタを前面側から見た斜視図。
【図５】前記実施形態におけるプロジェクタを背面側から見た斜視図。
【図６】前記実施形態におけるフロントケースの突出部を示す拡大図。
【図７】前記実施形態におけるレンズカバーをプロジェクタの正面側から見た斜視図。
【図８】前記実施形態におけるレンズカバーをプロジェクタの背面側から見た斜視図。
【図９】前記実施形態におけるレンズカバーの縦断面図。
【図１０】前記実施形態におけるレンズカバーを係止した状態におけるプロジェクタの正面図。
【図１１】図１０のＣ−Ｃ線断面図。
【符号の説明】
【００６０】
１…プロジェクタ、２…外装筐体、７…レンズカバー、９…摺動部材、２４…溝部、４６…投射レンズ、８１…保護面、８２…上面部（起立部）、８４…凸部、９２…操作部、２３４…突出部、２３５…凹部、８２１…爪部、８５１…クッション材、９３１…起立部、９３２…爪部、Ｂ…光軸方向。
【図１】
0005125367.tif 000002
【図２】
0005125367.tif 000003
【図３】
0005125367.tif 000004
【図４】
0005125367.tif 000005
【図５】
0005125367.tif 000006
【図６】
0005125367.tif 000007
【図７】
0005125367.tif 000008
【図８】
0005125367.tif 000009
【図９】
0005125367.tif 000010
【図１０】
0005125367.tif 000011
【図１１】
0005125367.tif 000012